(57)【要約】  【課題】バール等によるこじ開けによっても容易に解錠されない堅固な引戸用サブロックを提供する。  【解決手段】外側障子３の下框３Ａの室内面側に固定されるとともに、室内側に臨む開口５Ａが形成されたサブロックケース５と、このサブロックケース５内に揺動自在に支持され、施錠時に他端側を押し込み、召合せ框側をサブロックケース５から室内側に突出させることにより、内側障子２の開方向移動を規制するようにしたストッパー片６とから構成される引戸用サブロック４において、前記サブロックケース５の召合せ框側開口部分に、開口の溝幅を狭めた狭幅溝部５ｄを形成するとともに、前記ストッパー片６の召合せ框側部分に、施錠時に前記狭幅溝部５ｄを形成する両リップ片の裏面に当接するとともに、前記狭幅溝部５ｄの召合せ框側縁部５ｅの裏面に当接し、それ以上の揺動を制限する揺動規制片６ｂを設ける。【選択図】図３
2005139848.tif 000002
【特許請求の範囲】
【請求項１】
外側障子の室内面側に固定されるとともに、室内側に臨む開口が形成されたサブロックケースと、このサブロックケースの開口内部に揺動自在に支持され、施錠時に他端側を押し込み、一端側の召合せ框側部分をサブロックケースから室内側に突出させることにより、内側障子の開方向移動を規制するようにしたストッパー片とから構成される障子用補助錠において、
前記サブロックケースの召合せ框側開口部分に、開口の溝幅を狭めた狭幅溝部を形成するとともに、前記ストッパー片の召合せ框側部分に、施錠時に前記狭幅溝部を形成する両リップ片の裏面に当接し、それ以上の揺動を制限する揺動規制係合部を設けたことを特徴とする障子用補助錠。
【請求項２】
前記ストッパー片の召合せ框側部分に、前記狭幅溝部を形成する両リップ片の裏面に当接する揺動規制係合部とともに、前記狭幅溝部の召合せ框側縁部の裏面に当接する先端側揺動規制係合部を設けた請求項１記載の障子用補助錠。
【発明の詳細な説明】
【技術分野】
【０００１】
本発明は、外側障子の室内面側に固定されるとともに、室内側に臨む開口が形成されたサブロックケースと、このサブロックケース内に揺動自在に支持されたストッパー片とから構成される障子用補助錠であって、詳しくは障子のこじ開けに対する抵抗耐力を向上させた障子用補助錠に関する。
【背景技術】
【０００２】
近年、家屋のサッシ窓等では防犯性を向上させるため、クレセント錠等の主ロック装置とは別にサブロックと呼ばれる補助錠を付加して２重ロックとしたものが増加する傾向にある。このサブロックは、図６に示されるように、外側障子の下框／上框の室内面側に固定されるとともに、室内側に臨む開口３１ａが形成されたサブロックケース３１と、このサブロックケース３１内に鉛直軸回りに揺動自在に支持されたストッパー片３２とから構成され、施錠時には前記ストッパー片３２の他端側を奥側に押し込み、一端側の召合せ框側部分をサブロックケース３１から室内側に突出させることにより、内側障子の開方向移動を規制するようにしたものである。なお、前記ストッパー片３２の召合せ框側先端部分には、サブロックケース３１の開口縁位置よりも外側に突出する先端側揺動規制係合部３２ａが設けられ、施錠時には図６(C)に示されるように、前記先端側揺動規制係合部３２ａが開口３１ａの召合せ框側縁部３１ｂの裏面に当接することにより、それ以上の揺動が制限されるようになっている（例えば、下記特許文献１等参照）。
【特許文献１】特開２００２−４６７０号公報
【発明の開示】
【発明が解決しようとする課題】
【０００３】
しかしながら、従来一般に使用されている前記サブロック３０においては、確かに人力程度の力が加わった際には、ストッパー片３２が内側障子の開移動を確実に阻止することが可能であるが、近年、障子間に外側からバールなどを差し込んで強引にこじ開け、屋内に侵入する空き巣事件が多発している。
【０００４】
調査結果から、従来のサブロック３０の場合は、前述したように、ストッパー片３２の召合せ框側先端部分に設けられた先端側揺動規制係合部３２ａが、サブロックケース３１の開口３１ａの召合せ框側縦縁３１ｂの裏面に当接することにより、それ以上の揺動が制限されるようになっているが、バール等によるこじ開けのように、想定した力よりもかなり過大な力が作用すると、前記先端側揺動規制係合部３２ａが開口の召合せ框側縁部３１ｂから抜け出てしまうことが明らかとなった。
【０００５】
そこで本発明の主たる課題は、ストッパー片に設けられる揺動規制係合部と、サブロックケースの開口縁部との係合強度を向上することにより、バール等によるこじ開けによっても容易に解錠されない堅固な障子用補助錠を提供することにある。
【課題を解決するための手段】
【０００６】
前記課題を解決するために請求項１に係る本発明として、外側障子の室内面側に固定されるとともに、室内側に臨む開口が形成されたサブロックケースと、このサブロックケースの開口内部に揺動自在に支持され、施錠時に他端側を押し込み、一端側の召合せ框側部分をサブロックケースから室内側に突出させることにより、内側障子の開方向移動を規制するようにしたストッパー片とから構成される障子用補助錠において、
前記サブロックケースの召合せ框側開口部分に、開口の溝幅を狭めた狭幅溝部を形成するとともに、前記ストッパー片の召合せ框側部分に、施錠時に前記狭幅溝部を形成する両リップ片の裏面に当接し、それ以上の揺動を制限する揺動規制係合部を設けたことを特徴とする障子用補助錠が提供される。
【０００７】
請求項２に係る本発明として、前記ストッパー片の召合せ框側部分に、前記狭幅溝部を形成する両リップ片の裏面に当接する揺動規制係合部とともに、前記狭幅溝部の召合せ框側縁部の裏面に当接する先端側揺動規制係合部を設けた請求項１記載の障子用補助錠が提供される。
【発明の効果】
【０００８】
上記請求項１記載の本発明によれば、サブロックケースの召合せ框側開口部分に、開口の溝幅を狭めた狭幅溝部を形成するとともに、前記ストッパー片の召合せ框側部分に、施錠時に前記狭幅溝部を形成する両リップ片の裏面に当接し、それ以上の揺動を制限する揺動規制係合部を設けるようにした。従って、障子がバール等によってこじ開けられ、過大な力が作用した場合であっても、ストッパー片に形成した前記揺動規制係合部はサブロックケースから抜け出すことはない。すなわち、従来のサブロックのようにストッパー片の先端側部分を係合させた場合には、過大な力が作用すると、ストッパー片の変形や先端側揺動規制係合部の変形、部材の破壊などによってケースから抜け出ることがあったが、本発明のように、ストッパー片の両側に形成した前記揺動規制係合部の場合は、ストッパー片や揺動規制係合部の変形があっても容易に係合が解除されることはない。また、施錠時にストッパー片がサブロックケースに係合する箇所も多辺状に形成されることとなり、ストッパー片とサブロックケースとの係合面積が増大するため、揺動規制係合部に作用する応力を低減でき、部材の破壊を防止することができるため、バール等によるこじ開けに確実に対処できるようになる。
【０００９】
上記請求項２記載の発明によれば、前記ストッパー片の召合せ框側部分に、前記狭幅溝部を形成する両リップ片の裏面に当接する揺動規制係合部とともに、前記狭幅溝部の召合せ框側縁部の裏面に当接する先端側揺動規制係合部を設けるようにしたものである。従って、ストッパー片は前記揺動規制係合部とともに、先端側揺動規制係合部がサブロックケースの開口縁部に係合することになるため、より係合強度の増大を図ることができる。
【発明を実施するための最良の形態】
【００１０】
以下、本発明の実施の形態について図面を参照しながら詳述する。
図１は本発明に係るサブロック４を取り付けたサッシ１の水平横断面図であり、図２はそのII−II線矢視図である。
【００１１】
前記サッシ１は、図１に示されるように、水平方向に開閉される内側障子２と外側障子３とから構成される。代表的に前記外側障子３を例に説明すると、図２に示されるように、下框３Ａ、縦框３Ｂ・３Ｃおよび図示しない上框により構成されたフレーム枠内にビード１０，１０を介してガラス等のパネル１１が嵌め込まれており、走行レール（図示せず）に沿って案内される戸車１２により開閉移動されるようになっている。
【００１２】
前記サッシ１の内側障子２と外側障子３との施錠を図るために、召合せ框部分にクレセント錠（図示せず）が設けられるとともに、前記外側障子３の下框３Ａ部分に補助錠たるサブロック４が設けられている。
【００１３】
前記サブロック４は、図１に示されるように、外側障子３の下框３Ａ（又は上框）の室内面側に埋め込まれるように固定されるとともに、室内側に臨む開口５Ａが形成されたサブロックケース５と、このサブロックケース５の開口内部に鉛直軸回りに揺動自在に支持されたストッパー片６とから構成され、施錠時には前記ストッパー片６の他端側を奥側に押し込み、一端側の召合せ框側部分をサブロックケース５から室内側に突出させることにより、内側障子２の開方向移動を規制するようになっている。
【００１４】
以下、前記サブロック４について図３〜図５に基づいてさらに詳述すると、
【００１５】
前記サブロックケース５は、一端側に取付用係止片５ａが突出して設けられるとともに、他端側にネジ孔５ｂが設けられ、図１に示されるように、外側障子３の下框３Ａの形成された矩形状開口に対して、前記取付用係止片５ａを開口縁部に係止させた状態で嵌設し、前記ネジ孔５ｂに挿入した固定ネジ７により下框３Ａに固定されるようになっている。
【００１６】
前記サブロックケース５は、室内面側となる面（図３では上面）に、室内側に臨む開口５Ａが設けられている。前記開口５Ａは、溝幅がストッパー片６の部材幅に対応するとともに、開口の大部分を占める一般部開口溝５ｃと、サブロックケース５の召合せ框側部分に形成された、溝幅を前記一般部開口溝５ｃよりも狭めた狭幅溝部５ｄとから構成されている。前記狭幅溝部５ｄを形成する両リップ片の裏面、及び前記狭幅溝部５ｄの召合せ框側縁部５ｅの裏面がそれぞれ、ストッパー片６に形成された後述の揺動規制部６ｂが施錠時に当接する部分である。
【００１７】
前記サブロックケース５のネジ孔５ｂ側寄りの側面位置には、両側面を貫いて支軸挿通孔５ｆが設けられている。また、前記サブロックケース５の底面には、図４(B)に示されるように、周囲にスリット状の溝を形成することにより片持ち梁状のバネ板片８が長手方向に沿って設けられている。このバネ板片８は、先端部分の略円弧状に起立した部分を有し、この起立部分の内面側に２段の窪み部８ａ、８ｂが設けられている。この窪み部８ａ、８ｂは、解錠時にストッパー片６の他端側底面隅部が窪み８ａに係合することにより、ストッパー片６を没入状態に保持し、施錠時にはストッパー片６の他端側底面隅部が窪み８ｂに係合することにより、ストッパー片６を突出状態に保持するようになっている。
【００１８】
次いで、前記ストッパー片６は、図３に示されるように、ブロック状の部材とされ、上面形状は前記サブロックケース５の開口５Ａにほぼ整合する形状となっている。すなわち、一端側には前記サブロックケース５の狭幅溝部５ｄに対応するように、狭幅部６ａを有する形状を成し、この狭幅部６ａの下部側には、上面形状がコ字状を成すように形成されるとともに、施錠時にストッパー片６を揺動させた際、前記サブロックケース５の狭幅溝部５ｄ部分の裏面側に当接することにより、それ以上の揺動を制限する揺動規制片６ｂが設けられている。なお、この揺動規制片６ｂの内、前記狭幅溝部５ｄの両リップ片の裏面に当接する部分が本発明における「揺動規制係合部」を構成し、前記狭幅溝部５ｄの召合せ框側縁部５ｅの裏面に当接する部分が本発明における「先端側揺動規制係合部」を構成する部分である。
【００１９】
また、前記ストッパー片６は、他端側の側面に支軸挿通孔６ｃを有し、サブロックケース５の開口５Ａよりケース内に嵌設し、サブロックケース５に形成された支持挿通孔５ｆ、およびストッパー片６に形成された前記支持挿通孔６ｃを貫いて挿入された支軸９によって揺動自在に支持されるようになっている。
【００２０】
なお、前記ストッパー片６の支軸挿通孔６ｃを含む領域６ｅは、部分的に部材幅が小さくなっており、前記領域６ｅを画成する段部６ｄがサブロックケース５の内壁面に形成された突出壁部５ｇ、５ｇの上に乗り上がり、ストッパー片６の揺動動作をガイドするようになっている。
【００２１】
次いで、前記サブロック４の施錠操作方法について説明すると、まず解錠時には図４(B)に示されるように、ストッパー片６がサブロックケース５の開口５Ａ内に完全に嵌り込んでおり、室内面側に突出しないようになっている。そして、施錠の際にはストッパー片６の他端側（押操作部６ｆ）を開口５Ａの奥側に押し込むと、図５に示されるように、ストッパー片６が揺動し、一端側の召合せ框側部分がサブロックケース５から室内側に突出することにより、内側障子２の開方向移動を規制するようになる。なお、前記ストッパー片６の他端側（押操作部６ｆ）の上面は、滑り止めのためギザ加工またはローレット加工を施すようにするのが望ましい。
【００２２】
この施錠状態において、ストッパー片６の揺動規制片６ｂは、サブロックケース５の狭幅溝部５ｄの両リップ片の裏面に当接するとともに、狭幅溝部５ｄの召合せ框側縁部５ｅの裏面に当接しているため、障子がバール等によってこじ開けられることがあっても、ストッパー片６の揺動規制片６ｂは開口５Ａから抜け出すことはなく、障子の開移動を確実に防止することができる。
【００２３】
〔他の形態例〕
(1)上記形態例では、ストッパー片６の揺動規制片６ｂは上面をコ字状とし、サブロックケース５の狭幅溝部５ｄの両リップ片の裏面に当接するとともに、狭幅溝部５ｄの召合せ框側縁部５ｅの裏面に当接させるようにしたが、揺動規制片６ｂはサブロックケース５の狭幅溝部５ｄの両リップ片の裏面に当接する部分のみとし、ストッパー片６の先端側は狭幅溝部５ｄの召合せ框側縁部５ｅの裏面に当接させないようにしてもよい。
(2)上記形態例では、サブロック４を外側障子３の下框３Ａに取り付けることしたが、上框側に取り付けるようにしてもよい。
(3)上記形態例では引戸障子（サッシ）に対して本発明を適用した場合について述べたが、本発明は上げ下げ窓のように昇降移動させる障子に対しても同様に適用することが可能である。
【図面の簡単な説明】
【００２４】
【図１】本発明に係るサブロック４を取り付けたサッシ１の水平横断面図である。
【図２】そのII−II線矢視図である。
【図３】サブロック４の分解斜視図である。
【図４】サブロック４を示す、(A)は平面図、(B)は側面図である。
【図５】施錠時のサブロック４の断面図である。
【図６】従来のサブロック３０を示す、(A)は平面図、(B)は解錠時断面図、(C)は施錠時断面図である。
【符号の説明】
【００２５】
１…サッシ、２…内側障子、３…外側障子、３Ａ…下框、３Ｂ・３Ｃ…縦框、４…サブロック、５…サブロックケース、５ｄ…狭幅溝部、５ｅ…召合せ框側縁部、６…ストッパー片、６ａ…狭幅部、６ｂ…揺動規制片、８…バネ板片、９…支軸
【図１】
2005139848.tif 000003
【図２】
2005139848.tif 000004
【図３】
2005139848.tif 000005
【図４】
2005139848.tif 000006
【図５】
2005139848.tif 000007
【図６】
2005139848.tif 000008